(57)【要約】  除湿装置（１）は、上流側からの空気が内部を通過する中空糸膜を有し中空糸膜によって空気を除湿して、下流側に排出する中空糸膜式除湿部（１０）と、中空糸膜式除湿部（１０）から排出された空気が供給され、空気に含まれる水分を吸着する吸着剤（８ａ）を有し吸着剤（８ａ）によって空気を除湿する吸着式除湿部（６）と、を備える。除湿装置（１）は、上流側に配置された空気圧縮機から吐出された圧縮空気のドレンを分離するドレン分離器（２）を更に備える。中空糸膜式除湿部（１０）には、ドレン分離器（２）によってドレンが分離された圧縮空気が供給される。
2016152515.tif 000002
【特許請求の範囲】
【請求項１】
車両で用いられる空気を除湿するための除湿装置であって、
上流側からの空気が内部を通過する中空糸膜を有し、該中空糸膜によって前記空気を除湿して、下流側に排出する中空糸膜式除湿部と、
前記中空糸膜式除湿部から排出された空気が供給され、該空気に含まれる水分を吸着する吸着剤を有し、該吸着剤によって該空気を除湿する吸着式除湿部と、
を備えている、除湿装置。
【請求項２】
請求項１に記載の除湿装置において、
前記中空糸膜式除湿部は、湾曲部を有している、除湿装置。
【請求項３】
請求項２に記載の除湿装置において、
前記湾曲部は、Ｕ字状に形成されている、除湿装置。
【請求項４】
請求項１から請求項３のいずれか１項に記載の除湿装置において、
前記上流側に配置された空気圧縮機から吐出された圧縮空気のドレンを分離するドレン分離部を更に備え、
前記中空糸膜式除湿部には、前記ドレン分離部によって前記ドレンが分離された圧縮空気が供給される、除湿装置。
【請求項５】
請求項４に記載の除湿装置において、
前記ドレン分離部は、ドレン分離本体部と、該ドレン分離本体部を外側から覆うドレン分離部ハウジングとを有し、
前記中空糸膜式除湿部は、前記中空糸膜を外側から覆う中空糸膜式除湿部ハウジングを有し、
前記吸着式除湿部は、前記吸着剤が内部に収容される吸着剤収容部と、該吸着剤収容部を外側から覆う吸着式除湿部ハウジングと、を有し、
前記ドレン分離部ハウジング、前記中空糸膜式除湿部ハウジング及び前記吸着式除湿部ハウジングは、前記ドレン分離部、前記中空糸膜式除湿部及び前記吸着式除湿部を流れる圧縮空気の流路を形成するように、互いに一体に設けられ又は互いに結合されている、除湿装置。
【発明の詳細な説明】
【技術分野】
【０００１】
本発明は、車両（例えば鉄道車両）で用いられる圧縮空気を除湿するための除湿装置に関する。
【背景技術】
【０００２】
例えば特許文献１は、鉄道車両においてブレーキ力を発生させるためなどに用いられる圧縮空気を生成するための圧縮装置を開示する。この圧縮装置では、空気圧縮ユニットによって圧縮された空気は、アフタークーラによって冷却され、除湿装置によって除湿される。この空気は、その後、圧縮空気タンクに溜められる。【０００３】
また、上述した圧縮空気を除湿するための除湿装置としては、例えば、空気中の水分を吸着可能な吸着剤を用いた吸着式や中空糸膜式の除湿装置が知られている。【０００４】
吸着式の除湿装置は除湿性能の要求が高い（ＩＳＯ８５７３クラス２にも対応可能）ものにも容易に対応可能である。しかしながら、この除湿装置では、乾燥剤を再生する必要がある。一方、中空糸膜式は乾燥剤を再生する必要が無いため連続して用いることができる。しかしながら、除湿性能を高くするためにはサイズを大きくする必要がある。また、２つの吸着式除湿装置を用いて圧縮空気の除湿を連続的に行うことができる。この場合、例えば２つの吸着式除湿装置を並列に接続し、一方での除湿時には、他方には乾燥空気の一部を流す（パージという）。すなわち、他方の吸着剤を乾燥させて、再度、吸着剤として利用できるようにする。そして、他方での除湿時には一方をパージすることにより、吸着剤を乾燥させて、再度、吸着剤として利用できるようにしている。そのため、２つの吸着式除湿装置を切り替えるための切替弁やそれを駆動するための電磁弁や制御回路が必要となる。したがって、システムが複雑化し、コストもかかるという問題がある。
【先行技術文献】
【特許文献】
【０００５】
【特許文献１】実用新案登録第３１５００７７号
【発明の概要】
【０００６】
本発明の目的は、除湿装置において、高い除湿性能を持ちながら小型化できるようにすることである。
【０００７】
本発明のある局面に係る除湿装置は、車両で用いられる空気を除湿するための除湿装置であって、上流側からの空気が内部を通過する中空糸膜を有し、該中空糸膜によって前記空気を除湿して、下流側に排出する中空糸膜式除湿部と、前記中空糸膜式除湿部から排出された空気が供給され、該空気に含まれる水分を吸着する吸着剤を有し、該吸着剤によって該空気を除湿する吸着式除湿部と、を備えている。
【図面の簡単な説明】
【０００８】
【図１】本発明の実施形態に係る除湿装置の構成を示す斜視図である。
【図２】図１に示す除湿装置の平面図である。
【図３】図１に示す除湿装置の右側面図であって、一部の構成要素については内部構造を示す図である。
【発明を実施するための形態】
【０００９】
以下、本発明を実施するための形態について図面を参照しつつ説明する。本発明の実施形態に係る除湿装置１は、以下で説明するように、鉄道車両で用いられる圧縮空気を除湿するための除湿装置として適用することができる。ただし、除湿装置１は、鉄道車両に用いられる除湿装置に限られず、鉄道車両以外の車両で用いられてもよい。
【００１０】
［全体構成］
図１は、本発明の実施形態に係る除湿装置１の構成を示す斜視図である。また、図２は、除湿装置１の平面図である。また、図３は、除湿装置１の右側面図であって、その一部の構成要素については内部構造を示す図である。なお、各図において、説明の便宜上、「前」と記載された矢印が指示する方向を前側又は前方と称し、「後」と記載された矢印が指示する方向を後側又は後方と称し、「右」と記載された矢印が指示する方向を右側と称し、「左」と記載された矢印が指示する方向を左側と称し、「上」と記載された矢印が指示する方向を上側又は上方と称し、「下」と記載された矢印が指示する方向を下側又は下方と称する。
【００１１】
本実施形態に係る除湿装置１は、図示しない鉄道車両に搭載され、該鉄道車両においてブレーキ力を発生させるためなどに用いられる圧縮空気を除湿するために用いられる。除湿装置１には、空気圧縮機（図示省略）で生成された空気（圧縮空気）が流入する。そして、除湿装置１によって除湿された圧縮空気は、除湿装置１よりも下流側に配置された圧縮空気タンク（図示省略）に溜められる。このようにして圧縮空気タンクに溜められた圧縮空気は、必要に応じて用いられる。
【００１２】
除湿装置１は、図１から図３に示すように、ドレン分離器２（ドレン分離部）、中空糸膜式除湿部１０、及び吸着式除湿部６を有し、これらが互いに連結されている。
【００１３】
［ドレン分離器］
ドレン分離器２は、空気圧縮機で生成された圧縮空気に含まれるドレン（油水分等）を除去するためのものである。ドレン分離器２は、図３に示すように、ハウジング３（ドレン分離部ハウジング）と、ハウジング３内に設けられたドレン分離本体部４とを有している。ドレン分離器２では、該ドレン分離器２に流入する圧縮空気が、螺旋状に形成された螺旋流路５に沿って上方から下方へ流れた後、ドレン分離本体部４を下方から上方へ向かって流れる。この際、圧縮空気中に含まれるドレンは、ドレン分離本体部４を通過する際に該ドレン分離本体部４に付着することにより、圧縮空気から除去される。ドレン分離本体部４は、例えば一例として、互いに絡まりあうように塊状に形成されたアルミ繊維等で形成されたアルミクラッシャーによって構成されている。これにより、ドレン分離器２では、圧縮空気に含まれる水分が、おおまかに除去される。ドレン分離器２によってドレンが分離された圧縮空気は、２つのドレン分離器側流出口２ａ，２ｂ（図２参照）のいずれかを通じて、ドレン分離本体部４から中空糸膜式除湿部１０に向けて流出する。
【００１４】
［中空糸膜式除湿部］
中空糸膜式除湿部１０は、複数の除湿本体部１１が互いに組み合わせられることにより形成されている。上述したドレン分離器２によってドレンが除去された圧縮空気は、中空糸膜式除湿部１０を通過することにより除湿される。
【００１５】
中空糸膜式除湿部１０は、図１から図３に示すように、２つの除湿本体部１１と、ベース部２０とを有している。
【００１６】
各除湿本体部１１は、互いに同じ形状を有する中空糸膜式の除湿部である。具体的には、除湿本体部１１は、図１に示すように、ハウジング１２（中空糸膜式除湿部ハウジング）と、ハウジング１２内に設けられた複数の中空糸膜１５とを有している。
【００１７】
ハウジング１２は、筒状に形成された部分であって、２つの直線部１３ａ，１３ｂと湾曲部１４とを有し、これらが一体に形成されている。中空糸膜１５は、一方の直線部１３ａ、湾曲部１４及び他方の直線部１３ｂに亘って配置されている。２つの直線部１３ａ，１３ｂは、直線状に延びる筒状の部分であって、互いに間隔を開けて平行となるように設けられている。湾曲部１４は、Ｕ字状に形成された筒状の部分であって、一端部が直線部１３ａの一端部と一体に設けられるとともに、他端部が直線部１３ｂの一端部と一体に設けられている。ハウジング１２の一端側は、上流側からの圧縮空気が流入する除湿部流入口１２ａとして設けられ、ハウジング１２の他端側は、中空糸膜式除湿部１０によって除湿された圧縮空気が下流側へ流れる除湿部流出口１２ｂとして設けられている。このように、ハウジング１２の形状をＵ字形状とすることで、直線状のものと比べ、別途配管を用いることなく、後述するように、中空糸膜１５の一端側を除湿部上流側通路２４に設けるとともに、他端側を除湿部下流側通路２５に設けることができる。さらにＵ字状とすることで、屈曲している場合に比べ空気の流れが阻害されない。
【００１８】
さて、中空糸膜１５は、両端部に開口部を有し、内部に圧縮空気の流路が形成された細長い中空円筒状の膜部によって構成されている。中空糸膜１５では、内部を通過する圧縮空気中に含まれる水蒸気が膜部の外側へ透過することにより、除湿された圧縮空気が生成される。
【００１９】
複数の中空糸膜１５は、互いに並行するようにハウジング１２内部に収容されている。具体的には、各中空糸膜１５は、一端側の開口部が除湿部流入口１２ａから外側へ開口した状態でハウジング１２が延びる方向に沿って延びるように設けられ、他端側の開口部が除湿部流出口１２ｂから外側へ開口する。これにより、中空糸膜式除湿部１０では、除湿部流入口１２ａから流入した圧縮空気が複数の中空糸膜１５によって除湿された後、除湿部流出口１２ｂを介して下流側へ流出する。
【００２０】
ベース部２０は、図１及び図２に示すように、左右方向に長い直方体状に形成されたブロック部２１によって構成されている。
【００２１】
ブロック部２１には、図２に示すように、該ブロック部２１を前後方向に貫通する４つの貫通孔２２，２３が形成されている。各貫通孔２２，２３は、左右方向に間隔をおいて前後方向に直線状に延びるように形成されている。これら４つの貫通孔２２，２３のうち、左右方向における中央部分に形成された２つの貫通孔２２は、それぞれ、入力側空気通路２２として設けられている。そして、残り２つの貫通孔２３（最も右側に形成された貫通孔２３、及び最も左側に形成された貫通孔２３）は、それぞれ、出力側空気通路２３として設けられている。
【００２２】
図２を参照して、各入力側空気通路２２における前側の端部２２ａは、ドレン分離器２側からの圧縮空気が流入する流入口２２ａとして設けられている。一方、各出力側空気通路２３における後側の端部２３ｂは、吸着式除湿部６側へ圧縮空気が流出する流出口２３ｂとして設けられている。
【００２３】
また、各ブロック部２１には、２つの入力側空気通路２２及び２つの出力側空気通路２３のそれぞれにおける前後方向中央部分から下方へ延びて外部と連通する穴部２４，２５が形成されている。これら４つの穴部２４，２５のうち、各入力側空気通路２２と外部とを連通する２つの穴部２４は、除湿部上流側通路２４として設けられている。そして、残り２つの穴部２５（各出力側空気通路２３と外部とを連通する２つの穴部２５）は、除湿部下流側通路２５として設けられている。
【００２４】
中空糸膜式除湿部１０は、上述のように構成された２つの除湿本体部１１及び１つのベース部２０が、以下のようにして組み合わせられることにより、構成される。具体的には、中空糸膜式除湿部１０では、１つのベース部２０に対して２つの除湿本体部１１が固定される。より具体的には、除湿本体部１１は、各端部１２ａ，１２ｂが除湿部上流側通路２４及び除湿部下流側通路２５のいずれかに連通するように、ベース部２０に対してボルト等により固定される。これにより、除湿本体部１１の両端部１２ａ，１２ｂのうち、除湿部上流側通路（穴部）２４に連通した方の端部が、除湿部流入口１２ａとして機能し、除湿部下流側通路（穴部）２５に連通した方の端部が、除湿部流出口１２ｂとして機能する。
【００２５】
［吸着式除湿部］
吸着式除湿部６は、中空糸膜式除湿部１０によって除湿された圧縮空気を更に除湿するためのものである。吸着式除湿部６は、中空糸膜式除湿部１０の下流側に設けられ、水分を吸着可能な吸着剤によって中空糸膜式除湿部１０からの圧縮空気を除湿する。
【００２６】
吸着式除湿部６は、ケーシング７（吸着式除湿部ハウジング）と、ケーシング７内に設けられた吸着式除湿本体部８とを有している。ケーシング７の内部には、中空糸膜式除湿部１０によって除湿された圧縮空気を吸着式除湿本体部８まで案内するための吸着式除湿部側流路６ａ，６ｂが設けられている（図２参照）。吸着式除湿本体部８は、吸着剤８ａ（例えばシリカゲル等）と、吸着剤８ａを収容する吸着剤収容部８ｂとを有している。
【００２７】
吸着式除湿部６では、中空糸膜式除湿部１０側から流入した圧縮空気が、吸着式除湿部側流路６ａ，６ｂを介して吸着式除湿本体部８内を流れる。この際、圧縮空気に含まれる水分は吸着剤８ａによって吸着されることにより除湿された後、逆止弁９を介して更に下流側へ流れる。なお、この逆止弁９は、吸着式除湿部６によって除湿された圧縮空気が該吸着式除湿部６よりも下流側へ流れるのを許容するとともに、下流側からの圧縮空気が吸着式除湿部６へ流れ込むのを規制するためのものである。
【００２８】
なお、吸着式除湿部６の吸着剤８ａによって吸着された水分は、該吸着剤８ａに乾燥空気が送り込まれることにより（すなわち、パージすることにより）吸着剤８ａから放出される。除湿装置１では、このパージが適宜、行われることにより、吸着剤８ａが再生される。
【００２９】
除湿装置１では、上述のように構成されたドレン分離器２、中空糸膜式除湿部１０、及び吸着式除湿部６が、以下のようにして互いに固定される。具体的には、ドレン分離器２のハウジング３と、中空糸膜式除湿部１０のベース部２０と、吸着式除湿部６のケーシング７とが互いに前後方向に密着して並べられている。すなわち、ハウジング３の平坦状の後側面（壁部２ｃの後側面）とベース部２０の平坦状の前側面とが互いに対向し、ハウジング３の後側面とベース部２０の前側面とは互いに面接触している。この状態で、ハウジング３とベース部２０とは、壁部２ｃの前側面から壁部２ｃの挿通孔に挿入された締結ネジ（締結具）１８によって、互いに結合されている。また、ベース部２０の平坦状の後側面とケーシング７の平坦状の前側面（壁部６ｃの前側面）とが互いに対向し、ベース部２０の後側面とケーシング７の前側面とは互いに面接触している。この状態で、ベース部２０とケーシング７とは、壁部６ｃの後側面から壁部６ｃの挿通孔に挿入された締結ネジ１８（締結具）によって互いに結合されている。すなわち、ベース部２０は、ハウジング３とケーシング７とによって挟持されている。このように、ハウジング３と、ベース部２０と、ケーシング７とが、複数の締結ネジ１８によって互いに連結される（図１参照）。ベース部２０の左右方向の長さと、ハウジング３の壁部２ｃの左右方向の長さと、ケーシング７の壁部６ｃの長さ方向の長さとは、それぞれ同じ長さとなっている。
【００３０】
ドレン分離器２、中空糸膜式除湿部１０、及び吸着式除湿部６が、互いに結合されてモジュール化されている。そして、該除湿装置１の内部に圧縮空気の流路が形成される。また、この状態において、除湿装置１では、各入力側空気通路２２の流入口２２ａ，２２ａがドレン分離器側流出口２ａ，２ｂのいずれかと連通し、且つ、各出力側空気通路２３の流出口２３ｂ，２３ｂが吸着式除湿部側流路６ａ，６ｂのいずれかと連通している。なお、この状態において、図２に示すように、入力側空気通路２２における後側の端部２２ｂは、吸着式除湿部６のケーシング７に形成された壁部６ｃによって封鎖されている。このため、入力側空気通路２２を、ベース部２０（ブロック部２１）を前後方向に貫通する貫通孔２２によって形成しておくことができる。このため、ベース部２０の加工が煩雑になることはない。また、出力側空気通路２３における前側の端部２３ａは、ドレン分離器２のハウジング３に形成された壁部２ｃによって封鎖されている。このため、出力側空気通路２３を、ベース部２０（ブロック部２１）を前後方向に貫通する貫通孔２３によって形成しておくことができる。このため、ベース部２０の加工が煩雑になることはない。
【００３１】
［除湿装置における圧縮空気の流れ］
除湿装置１では、空気圧縮機によって生成された圧縮空気が、以下のようにして除湿される。
【００３２】
まず、空気圧縮機によって生成された圧縮空気は、図２及び図３を参照して、ドレン分離器２に流入して螺旋流路５を通過した後、ドレン分離本体部４を通過する。これにより、圧縮空気内に含まれるドレンが除去される。このようにドレンが除去された圧縮空気は、ドレン分離器側流出口２ａ，２ｂのいずれかを通して、中空糸膜式除湿部１０へ流入する。
【００３３】
ドレン分離器側流出口２ａからの圧縮空気は、ベース部２０に形成された２つの入力側空気通路２２のうちの右側の入力側空気通路２２、右側の除湿本体部１１、及び右側の出力側空気通路２３、を順に流れる。圧縮空気は、除湿本体部１１の内部を通過する際に、中空糸膜１５によって除湿される。その後、圧縮空気は、吸着式除湿部側流路６ａを通して吸着式除湿部６へ流入する。一方、ドレン分離器側流出口２ｂからの圧縮空気は、ベース部２０に形成された２つの入力側空気通路２２のうちの左側の入力側空気通路２２、左側の除湿本体部１１、及び左側の出力側空気通路２３、を順に流れる。圧縮空気は、除湿本体部１１の内部を通過する際に、中空糸膜１５によって除湿される。その後、圧縮空気は、吸着式除湿部側流路６ｂを通して吸着式除湿部６へ流入する。
【００３４】
各吸着式除湿部側流路６ａ，６ｂを流れた圧縮空気は、吸着式除湿本体部８の内部で合流する。圧縮空気は、該吸着式除湿本体部８の内部を流れる際に吸着剤８ａによって除湿された後、逆止弁９を介して更に下流側へ流れ、圧縮空気タンクに溜められる。
【００３５】
［効果］
以上のように、本実施形態に係る除湿装置１では、中空糸膜式除湿部１０によって除湿された圧縮空気に含まれる水分が、吸着式除湿部６の吸着剤８ａによって吸着される。すなわち、この構成によると、中空糸膜式除湿部１０及び吸着式除湿部６の双方によって圧縮空気の除湿を行うことができるため、圧縮空気を十分に除湿することができる。特に中空糸膜式除湿部１０で先に除湿された圧縮空気を吸着式除湿部６で除湿するため、吸着式除湿部６で除湿しなければならない水分量が少なくて済む。このため、吸着式除湿部６の吸着剤８ａの量が少なくて済むので、吸着式除湿部６をコンパクトに構成することができる。よって除湿装置１を小型化することができる。また、所定の連続時間だけ除湿するのに必要な量の吸着剤８ａを用いるようにすれば、吸着式除湿部６を２つ設けて、更にこれを切り替えるための切替弁やそれを駆動するための電磁弁や制御回路を設ける必要もなくなる。したがって、除湿装置を構成するシステムが簡素化するので、除湿装置１全体を小型化することができる。
【００３６】
また、この構成によると、吸着式除湿部６の除湿対象となる圧縮空気は、該吸着式除湿部６よりも上流側に配置される中空糸膜式除湿部１０によって既に除湿されている。このため、吸着式除湿部６による除湿負荷を軽減することができる。これにより、吸着式除湿部６を小型化してもパージする回数が減る。このため、吸着剤８ａの再生に必要となる乾燥空気の使用量を低減することができる。
【００３７】
従って、高い除湿性能を持ちながら除湿装置１を小型化することができる。
【００３８】
また、除湿装置１では、中空糸膜式除湿部１０が湾曲部１４を有しているため、中空糸膜式除湿部１０が一方向に長くなってしまうことを回避でき、しかも中空糸膜式除湿部１０に含まれる中空糸膜１５の長さを長くすることができる。すなわち、この構成によると、中空糸膜式除湿部１０の除湿性能を確保しつつ、中空糸膜式除湿部１０を小型化できる。
【００３９】
また、除湿装置１では、ハウジング１２（湾曲部１４）がＵ字状に形成されているため、例えば湾曲部が僅かに湾曲している場合と比べて、中空糸膜式除湿部１０を更に小型化できる。
【００４０】
また、除湿装置１では、圧縮空気は、ドレンがドレン分離器２によって分離された後に、中空糸膜式除湿部１０及び吸着式除湿部６へ送られる。これにより、中空糸膜式除湿部１０及び吸着式除湿部６の除湿負荷を軽減することができる。
【００４１】
また、除湿装置１では、ドレン分離器２、中空糸膜式除湿部１０、及び吸着式除湿部６がモジュール化されている。このため、ドレン分離器２、中空糸膜式除湿部１０及び吸着式除湿部６を、互いに対して容易に一体化、又は互いに対して容易に取り付けることができる。
【００４２】
以上、本発明の実施形態について説明したが、本発明は上述の実施の形態に限られるものではなく、特許請求の範囲に記載した限りにおいて様々に変更して実施することができる。例えば、次のような変形例を実施してもよい。
【００４３】
（１）上記実施形態では、ドレン分離器２、中空糸膜式除湿部１０、及び吸着式除湿部６が互いに固定されてモジュール化されているが、これに限らず、モジュール化されていなくてもよい。具体的には、例えは一例として、それぞれ位置的に離れて配置されたドレン分離器、中空糸膜式除湿部、及び吸着式除湿部を図略の配管によって接続することにより、圧縮空気の流路を形成してもよい。
【００４４】
また、上記実施形態では、ドレン分離部２のハウジング３、中空糸膜式除湿部１０のハウジング１２及び吸着式除湿部６のケーシング７が互いに結合された構成であるが、これに限られない。例えば、ドレン分離部２のハウジング３、中空糸膜式除湿部１０のハウジング１２及び吸着式除湿部６のケーシング７が、一体的に形成されていてもよい。
【００４５】
（２）上記実施形態では、中空糸膜式除湿部１０の上流側にドレン分離器２を設けられているが、これに限らず、ドレン分離器２が省略された構成であってもよい。この場合、出力側空気通路２３は、前側の端部２３ａが塞がれた構成となるか、又は端部２３ａを塞ぐ図外の別の部材が設けられることになる。
【００４６】
（３）上記実施形態では、中空糸膜式除湿部１０の除湿本体部１１の湾曲部１４の形状をＵ字状に形成したが、これに限らず、その他の形状であってもよい。具体的には、湾曲部１４は、僅かに湾曲した形状であってもよい。更には、除湿本体部１１は、湾曲部１４を有さない形状であってもよく、例えば一例として直線状に形成されていてもよい。
【００４７】
（４）上記実施形態では、複数の（具体的には、２つの）除湿本体部１１を有する中空糸膜式除湿部１０を例に挙げて説明したが、これに限らず、中空糸膜式除湿部は、１つの除湿本体部１１を有していてもよい。
【００４８】
ここで、上記実施形態について概説する。
【００４９】
（１）上記実施形態では、中空糸膜式除湿部によって、かなりの部分の除湿が行われ、吸着式除湿部では、中空糸膜式除湿部で除湿しきれなかった水分のみ除湿すれば良い。つまり、吸着式除湿部には、ある程度乾燥した空気が供給される。このため、吸着剤の量が少なくて済み、その結果、吸着式除湿部を小型化することができる。したがって、除湿装置全体を小型化することができる。また、所定の連続時間だけ除湿するのに必要な量の吸着剤を用いるようにすれば、吸着式除湿部を２つ設けて、更にこれを切り替えるための切替弁やそれを駆動するための電磁弁や制御回路を設ける必要もなくなる。したがって、除湿装置を構成するシステムが簡素化するので、除湿装置全体を小型化することができる。
【００５０】
また、上記実施形態では、吸着式除湿部の除湿対象となる圧縮空気は、該吸着式除湿部よりも上流側に配置される中空糸膜式除湿部によって除湿されている。このため、吸着式除湿部の除湿負荷を軽減することができる。これにより、吸着式除湿部を小型化してもパージする回数が減るため、吸着剤の再生に必要となる空気の使用量を低減することができる。
【００５１】
従って、上記実施形態では、高い除湿性能を持ちながら除湿装置を小型化できる。
【００５２】
（２）好ましくは、前記中空糸膜式除湿部は、湾曲部を有している。
【００５３】
この構成によると、中空糸膜式除湿部が一方向に長くなってしまうことを回避しつつ、中空糸膜式除湿部に含まれる中空糸膜の長さを長くすることができる。すなわち、この構成によると、中空糸膜式除湿部の除湿性能を確保しつつ、中空糸膜式除湿部を小型化できる。
【００５４】
（３）更に好ましくは、前記湾曲部は、Ｕ字状に形成されている。
【００５５】
この構成によると、湾曲部が僅かに湾曲している場合と比べて、中空糸膜式除湿部を更に小型化できる。
【００５６】
（４）好ましくは、前記除湿装置は、前記上流側に配置された空気圧縮機から吐出された圧縮空気のドレンを分離するドレン分離部を更に備えている。また、好ましくは、前記中空糸膜式除湿部には、前記ドレン分離部によって前記ドレンが分離された圧縮空気が供給される。
【００５７】
この構成によると、圧縮空気のドレンがドレン分離部によって分離された後、当該圧縮空気が中空糸膜式除湿部及び吸着式除湿部へ送られる。これにより、中空糸膜式除湿部及び吸着式除湿部の除湿負荷を軽減することができる。
【００５８】
（５）更に好ましくは、前記ドレン分離部は、ドレン分離本体部と、該ドレン分離本体部を外側から覆うドレン分離部ハウジングとを有する。また好ましくは、前記中空糸膜式除湿部は、前記中空糸膜を外側から覆う中空糸膜式除湿部ハウジングを有する。また好ましくは、前記吸着式除湿部は、前記吸着剤が内部に収容される吸着剤収容部と、該吸着剤収容部を外側から覆う吸着式除湿部ハウジングと、を有する。また好ましくは、前記ドレン分離部ハウジング、前記中空糸膜式除湿部ハウジング及び前記吸着式除湿部ハウジングは、前記ドレン分離部、前記中空糸膜式除湿部及び前記吸着式除湿部を流れる圧縮空気の流路を形成するように、互いに一体に設けられ又は互いに結合されている。
【００５９】
この構成によると、ドレン分離部、中空糸膜式除湿部、及び吸着式除湿部をモジュール化でき、互いに対して容易に一体化、又は互いに対して容易に取り付けることができる。
【００６０】
上記実施形態によると、高い除湿性能を持ちながらコンパクトに除湿装置を構成できる。
【産業上の利用可能性】
【００６１】
本発明は、車両（例えば鉄道車両）で用いられる空気（例えば圧縮空気）を除湿するための除湿装置として有用である。
【図１】
2016152515.tif 000003
【図２】
2016152515.tif 000004
【図３】
2016152515.tif 000005
【国際調査報告】
2016152515.tif 000006
2016152515.tif 000007
2016152515.tif 000008
2016152515.tif 000009